(57)【要約】      （修正有）【課題】  圧電素子や表面弾性波素子により測定を行う場合、素子の中心周波数等を迅速に決定できるようにする。【解決手段】圧電素子又は表面弾性波素子のアドミタンスの実数部又は虚数部をパラメータ（Ｙ）とし、パラメータ（Ｙ）の極値を与える極値周波数（ｆx）の決定方法であって、所定の周波数間隔（Δｆ）でパラメータ（Ｙ）を測定し、パラメータ（Ｙ）の実際の極値を与える周波数区間（Δｆi）を特定し、前記周波数区間（Δｆi）を挟む連続する少なくとも３つの周波数区間（Δｆi-1，Δｆi，Δｆi+1）において、周波数（ｆ）に対するパラメータ（Ｙ）の変化量（ΔＹi-1／Δｆ，ΔＹi／Δｆ，ΔＹi+1／Δｆ）を線形近似して条件式（ΔＹ／Δｆ＝αｆ＋β）を求め、この条件式（ΔＹ／Δｆ＝αｆ＋β）における変化量（ΔＹ／Δｆ）が０となる周波数（ｆ）を極値周波数（ｆx）とするようにしたことを特徴とする。【選択図】  図２
2006052996.tif 000002
【特許請求の範囲】
【請求項１】
圧電素子又は表面弾性波素子のアドミタンスの実数部（以下、コンダクタンス（Ｇ）とする）又は虚数部（以下、サセプタンス（Ｂ）とする）をパラメータ（Ｙ）とし、パラメータ（Ｙ）の極値を与える極値周波数（ｆx）の決定方法であって、所定の周波数間隔（Δｆ）でパラメータ（Ｙ）を測定し、パラメータ（Ｙ）の実際の極値を与える周波数区間（Δｆi）を特定し、前記周波数区間（Δｆi）を挟む連続する少なくとも３つの周波数区間（Δｆi-1，Δｆi，Δｆi+1）において、周波数（ｆ）に対するパラメータ（Ｙ）の変化量（ΔＹi-1／Δｆ，ΔＹi／Δｆ，ΔＹi+1／Δｆ）を線形近似して条件式（ΔＹ／Δｆ＝αｆ＋β）を求め、この条件式（ΔＹ／Δｆ＝αｆ＋β）における変化量（ΔＹ／Δｆ）が０となる周波数（ｆ）を極値周波数（ｆx）とするようにしたことを特徴とする極値周波数の決定方法。
【請求項２】
条件式（ΔＹ／Δｆ＝αｆ＋β）を最小二乗法により求めることを特徴とする請求項１に記載の極値周波数の決定方法。
【請求項３】
パラメータ（Ｙ）は、コンダクタンス（Ｇ）であり、コンダクタンス（Ｇ）の極大値（ＧMAX）を与える極値周波数（ｆx）を、前記素子の中心周波数（ｆ0）としたことを特徴とする請求項１又は２に記載の極値周波数の決定方法。
【請求項４】
パラメータ（Ｙ）は、サセプタンス（Ｂ）であり、サセプタンス（Ｂ）の極値（Ｂ1，Ｂ2）を与える極値周波数（ｆx1，ｆx2）をそれぞれ１対の象限周波数（ｆ1，ｆ2（ｆ1＜ｆ2））としたことを特徴とする請求項１又は２に記載の極値周波数の決定方法。
【発明の詳細な説明】
【技術分野】
【０００１】
本発明は、ＤＮＡやタンパク質など生体物質の相互作用の測定や抗原抗体反応を利用した分子認識に利用される水晶振動子又は表面弾性波素子の中心周波数等の極値周波数の決定方法に関するものである。
【背景技術】
【０００２】
従来、圧電素子を共振周波数で共振させ、或いは、表面弾性波素子を中心周波数で励振させ、前記素子に接触する物質の負荷により生じる周波数変動を測定するようにしていた。
前記共振周波数や前記中心周波数は、各素子毎に若干異なることがあるため、前記共振周波数や前記中心周波数は、所定のサンプリング周波数で、ネットワークアナライザ等によりスキャンして、コンダクタンス（Ｇ）が極大値をとる周波数を測定し、この周波数を共振周波数又は中心周波数としていた。
しかしながら、必ずしも、コンダクタンス（Ｇ）が極大値をとる周波数が、前記所定のサンプリング周波数上に存在するとは限らないため、コンダクタンス（Ｇ）が極大値をとる周波数の範囲内において、サンプリングする周波数の間隔を狭めて再度スキャンする必要があり、多くの時間を要するという問題があった。
また、前記素子の一対の象限周波数（ｆ1，ｆ2）についても、図１に示すように、共振周波数又は中心周波数（ｆ0）の両側で、コンダクタンス（Ｇ）の極大値の１／２となる周波数であるため、コンダクタンス（Ｇ）が極大値をとる極値周波数を正確に求めた後でしか正確な第１象限周波数（ｆ1，ｆ2）を得ることができず、更に、測定時間を要するという問題があった。
【発明の開示】
【発明が解決しようとする課題】
【０００３】
そこで、本発明は、圧電素子又は表面弾性波素子を利用して測定を行う場合において、圧電素子の共振周波数や表面弾性波素子の中心周波数等のコンダクタンス（Ｇ）が極大値をとる極値周波数や、同素子のサセプタンス（Ｂ）が極値をとる１対の象限周波数を決定するために、サンプリングのための周波数間隔を狭く設定又は調整することなく、高速で決定できるようにすることを目的とする。
【課題を解決するための手段】
【０００４】
上記課題を解決するために、本発明者等は鋭意検討の結果、下記の通り解決手段を見出した。
即ち、本発明の測定方法は、請求項１に記載の通り、圧電素子又は表面弾性波素子のアドミタンスの実数部（以下、コンダクタンス（Ｇ）とする）又は虚数部（以下、サセプタンス（Ｂ）とする）をパラメータ（Ｙ）とし、パラメータ（Ｙ）の極値を与える極値周波数（ｆx）の決定方法であって、所定の周波数間隔（Δｆ）でパラメータ（Ｙ）を測定し、パラメータ（Ｙ）の実際の極値を与える周波数区間（Δｆi）を特定し、前記周波数区間（Δｆi）を挟む連続する少なくとも３つの周波数区間（Δｆi-1，Δｆi，Δｆi+1）において、周波数（ｆ）に対するパラメータ（Ｙ）の変化量（ΔＹi-1／Δｆ，ΔＹi／Δｆ，ΔＹi+1／Δｆ）を線形近似して条件式（ΔＹ／Δｆ＝αｆ＋β）を求め、この条件式（ΔＹ／Δｆ＝αｆ＋β）における変化量（ΔＹ／Δｆ）が０となる周波数（ｆ）を極値周波数（ｆx）とするようにしたことを特徴とする。
また、請求項２に記載の極値周波数の決定方法は、請求項１に記載の極値周波数の決定方法において、条件式（ΔＹ／Δｆ＝αｆ＋β）を最小二乗法により求めることを特徴とする。
また、請求項３に記載の極値周波数の決定方法は、請求項１又は２に記載の極値周波数の決定方法において、パラメータ（Ｙ）は、コンダクタンス（Ｇ）であり、コンダクタンス（Ｇ）の極大値（ＧMAX）を与える極値周波数（ｆx）を、前記素子の中心周波数（ｆ0）としたことを特徴とする。
また、請求項４に記載の極値周波数の決定方法は、請求項１又は２に記載の極値周波数の決定方法において、パラメータ（Ｙ）は、サセプタンス（Ｂ）であり、サセプタンス（Ｂ）の極値（Ｂ1，Ｂ2）を与える極値周波数（ｆx1，ｆx2）をそれぞれ１対の象限周波数（ｆ1，ｆ2（ｆ1＜ｆ2））としたことを特徴とする。
【発明の効果】
【０００５】
本発明によれば、圧電素子の共振周波数又は表面弾性波素子の中心周波数ｆ0、同素子の第１の象限周波数ｆ1，ｆ2をサンプリングの間隔を狭めることなく、高速に決定することができる。
【発明を実施するための最良の形態】
【０００６】
上記の通り、本発明は、圧電素子又は表面弾性波素子のアドミタンスの実数部（以下、コンダクタンス（Ｇ）とする）又は虚数部（以下、サセプタンス（Ｂ）とする）をパラメータ（Ｙ）として、パラメータ（Ｙ）の極値を与える極値周波数（ｆx）の決定方法に関するものである。
本発明において、極値周波数とは、所定の周波数の範囲内において、圧電素子又は表面弾性波素子のアドミタンスを測定した場合に、コンダクタンス（Ｇ）又はサセプタンス（Ｂ）の極値を与える周波数のことをいう。具体的には、圧電素子の共振周波数（ｎ倍波（ｎ＝１，３，５・・・）で発振させた場合の共振周波数も含む）、表面弾性波素子の中心周波数（ｆ0）、一対の象限周波数（ｆ1，ｆ2）等が挙げられる。尚、一対の象限周波数（ｆ1，ｆ2）とは、圧電素子又は表面弾性波素子のコンダクタンス（Ｇ）の極大値の１／２を与える周波数であって、共振周波数又は中心周波数（ｆ0）の両側に位置する周波数をいう。
【０００７】
次に、本発明の極値周波数の決定方法について、図２乃至図４を参照して詳述する。
図２において、符号１で示されるプロット図は、２６．９５〜２７．１０ＭＨｚの周波数の範囲において、１ｋＨｚの周波数間隔（Δｆ）で、水晶振動子を発振させ、アドミタンス測定法によるコンダクタンス（Ｇ）を、図２の左側の軸の目盛に従ってプロットしたものである。この例では、コンダクタンス（Ｇ）が、本明細書のパラメータ（Ｙ）となる。
図２において、コンダクタンス（Ｇ）の実際の極大値（ＧMAX）を与える共振周波数（ｆ0）は、プロット図１のほぼ中央にあることはわかる。
そして、図３に示すように、このコンダクタンス（Ｇ）の極大値（ＧMAX）を与える周波数区間（Δｆi）を挟む連続する少なくとも３つの周波数区間（Δｆi-1，Δｆi，Δｆi+1）において、周波数（ｆ）に対してコンダクタンス（Ｇ）の変化量（ΔＧi-1／Δｆ，ΔＧi／Δｆ，ΔＧi+1／Δｆ）を求める。
具体的には、図示されるように、各サンプリング点（［（ｆa，Ｇa）〜（ｆd，Ｇd）］）に基づいて、各周波数区間（Δｆi-1，Δｆi，Δｆi+1）におけるコンダクタンス（Ｇ）の変化量（ΔＧ／Δｆ）を次式により求める。
Ｇ’a＝（Ｇb−Ｇa）／（ｆb−ｆa）＝（Ｇb−Ｇa）／Δｆ
Ｇ’b＝（Ｇc−Ｇb）／（ｆc−ｆb）＝（Ｇc−Ｇb）／Δｆ
Ｇ’c＝（Ｇd−Ｇc）／（ｆd−ｆc）＝（Ｇd−Ｇc）／Δｆ
【０００８】
上記の方法により求められたコンダクタンス（Ｇ）の変化量（ΔＧi-1／Δｆ，ΔＧi／Δｆ，ΔＧi+1／Δｆ）、即ち、Ｇ’a，Ｇ’b，Ｇ’cを周波数（ｆ）に対して線形となるように近似して条件式（ΔＧ／Δｆ＝αｆ＋β）を求める。
具体的には、図４に示すように、３点［（ｆa，Ｇ’a）〜（ｆc，Ｇ’c）］を、ｆ−Ｇ’平面にプロットして、これらから直線近似式（Ｇ’＝αｆ＋β）を求める。
前記条件式における変化量（ΔＹ／Δｆ）、即ち、Ｇ’が０となるときの周波数ｆ＝−β／αを求めれば、極大値（ＧMAX）を与える共振周波数ｆ0を求めることができる。
【０００９】
図２は、コンダクタンス（Ｇ）を測定した全ての周波数区間において、上記方法により、コンダクタンス（Ｇ）の変化量（ΔＧ／Δｆ）を求め、図２の右側の目盛に従ってそれぞれプロットしたものである。
この方法であれば、コンダクタンス（Ｇ）の極大値（ＧMAX）が、サンプリングされなくても共振周波数（ｆ0）を求めることができる。
【００１０】
次に、圧電素子又は表面弾性波素子の１対の象限周波数ｆ1，ｆ2（ｆ1＜ｆ2）を決定する方法について説明する。
図５において、符号３で示されるプロット図は、２６．９５〜２７．１０ＭＨｚの周波数の範囲において、１ｋＨｚの周波数間隔（Δｆ）で、水晶振動子を発振させ、アドミタンス測定法によるサセプタンス（Ｂ）を、図３の左側の軸の目盛に従ってプロットしたものである。
この図３において、サセプタンス（Ｂ）の極値（Ｂ1，Ｂ2）を与える周波数（ｆ1，ｆ2）は、中央部の左側Ｍと中央部の右側Ｎにあることがわかる。この例では、コンダクタンス（Ｂ）が、本明細書のパラメータ（Ｙ）となる。
まず、ｆ1を求めるために、図６に示すように、このサセプタンス（Ｂ）の極値（Ｂ1）を与える周波数区間（Δｆi）を挟む連続する少なくとも３つの周波数区間（Δｆi-1，Δｆi，Δｆi+1）において、周波数（ｆ）に対してサセプタンス（Ｂ）の変化量（ΔＢi-1／Δｆ，ΔＢi／Δｆ，ΔＢi+1／Δｆ）を求める。
具体的には、図示されるように、各サンプリング点（［（ｆa，Ｂa）〜（ｆd，Ｂd）］）に基づいて、各周波数区間（Δｆi-1，Δｆi，Δｆi+1）におけるサセプタンス（Ｂ）の変化量（ΔＢ／Δｆ）を次式により求める。
Ｂ’a＝（Ｂb−Ｂa）／（ｆb−ｆa）＝（Ｂb−Ｂa）／Δｆ
Ｂ’b＝（Ｂc−Ｂb）／（ｆc−ｆb）＝（Ｂc−Ｂb）／Δｆ
Ｂ’c＝（Ｂd−Ｂc）／（ｆd−ｆc）＝（Ｂd−Ｂc）／Δｆ
【００１１】
上記の方法により求められたサセプタンス（Ｂ）の変化量（Ｂ’a，Ｂ’b，Ｂ’c）を周波数（ｆ）に対して線形となるように近似して条件式（ΔＢ／Δｆ＝αｆ＋β）を求める。
具体的には、上記コンダクタンス（Ｇ）で説明したのと同様にして、３点［（ｆa，Ｂ’a）〜（ｆc，Ｂ’c）］を、ｆ−Ｂ’平面にプロットし、これらから直線近似式（Ｂ’＝αｆ＋β）を求める。
前記条件式における変化量（ΔＢ／Δｆ）、即ち、Ｂ’が０となるときの周波数ｆ＝−β／αを求めれば、極値（Ｂ1）を与える第１象限周波数ｆ1を求めることができる。そして、残りの第１象限周波数ｆ2についても、ｆ1と同様にして求めることができる。
【００１２】
図５は、サセプタンス（Ｂ）を測定した全ての周波数区間において、上記方法により、サセプタンス（Ｂ）の変化量（ΔＢ／Δｆ）を求め、図５の右側の目盛に従ってそれぞれプロットしたものである。
この方法によれば、サセプタンス（Ｂ）の極値（Ｂ1，Ｂ2）を与える周波数でサンプリングがされなくても、第１象限周波数（ｆ1，ｆ2）（ｆ1＜ｆ2）を求めることができる。
【００１３】
尚、上記実施の形態において、周波数（ｆ）に対するパラメータ（Ｙ）の変化量（ΔＹ／Δｆ）は、周波数間隔（Δｆ）の区間初めの周波数（ｆa，ｆb，ｆc）を基準に変化量（ΔＹ／Δｆ）を線形近似するようにしているが、その周波数間隔（Δｆ）に対応するものであれば特に制限するものではなく、例えば、区間終わりの周波数（ｆb，ｆc，ｆd）、或いは、区間の中央の周波数（（ｆａ＋ｆｂ）／２，（ｆｂ＋ｆｃ）／２，（ｆｃ＋ｆｄ）／２）を基準にして線形近似するようにしてもよい。
【００１４】
本発明において、コンダクタンス（Ｇ）の極大値（ＧMAX）及びサセプタンス（Ｂ）の存在する周波数区間（Δｆi）を特定する方法としては、目視により特定する方法も可能であるが、所定の周波数間隔（Δｆ）でサンプリングされたコンダクタンス（Ｇ）又サセプタンス（Ｂ）をメモリ等の記録手段に記録しておいて、記録されたデータの中から各データ間の差を演算又は各データの比較をする演算手段により求める方法も可能である。
【００１５】
本発明において、パラメータ（Ｙ）の変化量（ΔＹ／Δｆ）を周波数（ｆ）に対して線形近似する方法は、公知の手法で行うことができるが、最小２乗法によることが好ましい。比較的簡単、且つ、高速に求めることができるからである。
【００１６】
また、本発明における所定の周波数間隔（Δｆ）は、２Ｈｚ以上であれば特に制限はないが、好ましくは１ｋＨｚ以上、より好ましくは５ｋＨｚ以上とすれば、より高速に決定することが可能となる。
【図面の簡単な説明】
【００１７】
【図１】表面弾性波素子の中心周波数ｆ0及び第１象限周波数ｆ1，ｆ2（ｆ1＜ｆ2）を説明するためのプロット図
【図２】本発明の一実施の形態の共振周波数の決定方法を説明するための周波数ｆに対するコンダクタンスＧのプロット図及び周波数ｆに対するコンダクタンスＧの変化量ΔＧ／Δｆのプロット図
【図３】同実施の形態の周波数ｆに対するコンダクタンスＧの関係を示す説明図
【図４】同実施の形態の周波数ｆに対するコンダクタンスＧの変化量ΔＧ／Δｆの関係を示す説明図
【図５】本発明の他の実施の形態の第１象限周波数ｆ1，ｆ2の決定方法を説明するための周波数ｆに対するサセプタンスＢのプロット図及び周波数ｆに対するサセプタンスＢのプロット図
【図６】同実施の形態の周波数ｆに対するサセプタンスＢの関係を示す説明図
【符号の説明】
【００１８】
１    周波数ｆに対するコンダクタンスＧのプロット図
２    周波数ｆに対するコンダクタンスＧの変化量（ΔＧ／Δｆ）のプロット図
３    周波数ｆに対するサセプタンスＢのプロット図
４    周波数ｆに対するサセプタンスＢの変化量（ΔＢ／Δｆ）のプロット図
【図１】
2006052996.tif 000003
【図２】
2006052996.tif 000004
【図３】
2006052996.tif 000005
【図４】
2006052996.tif 000006
【図５】
2006052996.tif 000007
【図６】
2006052996.tif 000008